(57)【要約】【課題】従来よりも肩ベルトを引き出し易くする構造を提供する。【解決手段】肩ベルト構造は、子供用座席１１に設けられるベルト長さ調節機構１６，１７と、ベルト長さ調節機構から引き出されてベルト長さ調節機構により長さ調節される１対の肩ベルト１２と、肩ベルトに摺動可能に設けられる部材であって子供用座席に着座する子供の肩に当接するパッド２１と、一端が子供用座席と結合し他端がパッドと結合する第１連結材２３と、肩ベルトに摺動可能に取り付けられる引出具２４と、一端がパッドあるいは第１連結材と結合し他端が引出具と結合する第２連結材２５とを備える。【選択図】図６
2020040490.tif 000002
【特許請求の範囲】
【請求項１】
子供用座席に設けられるベルト長さ調節機構と、
前記ベルト長さ調節機構から引き出されて前記ベルト長さ調節機構により長さ調節される１対の肩ベルトと、
前記肩ベルトに摺動可能に設けられる部材であって、前記子供用座席に着座する子供の肩に当接するパッドと、
一端が前記子供用座席と結合し、他端が前記パッドと結合する第１連結材と、
前記肩ベルトに摺動可能に取り付けられる引出具と、
一端が前記パッドあるいは前記第１連結材と結合し、他端が前記引出具と結合する第２連結材とを備える、肩ベルト構造。
【請求項２】
前記第２連結材は弾性的に伸縮可能である、請求項１に記載の肩ベルト構造。
【請求項３】
前記パッドは、子供用座席の背もたれ部側の一端部と、前記背もたれ部と反対側の他端部を有し、
前記他端部は、前記子供の肩に当接する内側端部と、前記子供から遠い側の外側端部を含み、前記内側端部は前記外側端部よりも突出するよう舌状に形成され、
前記第２連結材の原形長さで前記内側端部が、前記子供の肩と前記引出具の間に介在する、請求項２に記載の肩ベルト構造。
【請求項４】
１対の前記第１連結材同士を連結する第３連結材をさらに備える、請求項１〜３のいずれかに記載の肩ベルト構造。
【請求項５】
前記パッドのうち、前記子供の肩に当接する内側部分には、すべりどめ加工が施される、請求項１〜４のいずれかに記載の肩ベルト構造。
【発明の詳細な説明】
【技術分野】
【０００１】
本発明は、座席の肩ベルトに関し、肩ベルトの長さ調節に用いられる構造に関する。
【背景技術】
【０００２】
子供の両肩を拘束する１対の肩ベルトと、背もたれ部から延出する肩ベルトの長さを調節する機構と、肩ベルトに取り付けられて肩ベルトから子供の肩に加わる圧力を緩和するパッドとを備えるチャイルドシートとして、例えば特開２０１６−０９７７５８号公報（特許文献１）に記載のものが知られる。
【先行技術文献】
【特許文献】
【０００３】
【特許文献１】特開２０１６−０９７７５８号公報
【発明の概要】
【発明が解決しようとする課題】
【０００４】
パッドは帯などの連結材でチャイルドシート本体に連結されており、肩ベルトはパッドに対して相対移動可能とされる。肩ベルトの長さを長くする操作は、チャイルドシートの操作者（主に子供の保護者）によって行われ、肩ベルトをチャイルドシート本体から前方へ引き出すことにより実行される。
【０００５】
しかしながら肩ベルトはパッドに覆われているため、従来のチャイルドシートでは肩ベルトを前方へ引き出し難かった。また子供をチャイルドシート本体に着座させたまま肩ベルトを引き出すことは容易でない。
【０００６】
本発明は、上述の実情に鑑み、従来よりも肩ベルトを引き出し易くする構造を提供することを目的とする。
【課題を解決するための手段】
【０００７】
この目的のため本発明による肩ベルト構造は、子供用座席に設けられるベルト長さ調節機構と、ベルト長さ調節機構から引き出されてベルト長さ調節機構により長さ調節される１対の肩ベルトと、肩ベルトに摺動可能に設けられる部材であって子供用座席に着座する子供の肩に当接するパッドと、一端が子供用座席と結合し他端がパッドと結合する第１連結材と、肩ベルトに摺動可能に取り付けられる引出具と、一端がパッドあるいは第１連結材と結合し、他端が引出具と結合する第２連結材とを備える。
【０００８】
引出具は肩ベルトを引き出す用に供される。本発明によれば、操作者が引出具を把持して前方へ引っ張ることにより、肩ベルトを容易に長くすることができる。また引出具は、第２連結部材によって吊り下げられるため、子供用座席の座面へ脱落しない。
【０００９】
第１連結材および第２連結材は、屈曲自在であればよく、形状および素材を限定されない。第１連結材および第２連結材は、例えば布帯からなる。本発明の一局面として、第２連結材は弾性的に伸縮可能である。かかる局面によれば、引出具の移動領域を大きくすることができ、肩ベルトを長くする操作が一層容易になる。他の局面として、第１連結材および第２連結材は、容易に弾性変形しない布材からなる。
【００１０】
パッドの形状は特に限定されないが、肩ベルトに沿って延びる細長形状が好ましい。本発明の好ましい局面としてパッドは、子供用座席の背もたれ部側の一端部と、背もたれ部と反対側の他端部を有し、他端部は子供の肩に当接する内側端部と子供から遠い側の外側端部を含み、内側端部は外側端部よりも突出するよう舌状に形成され、第２連結材の原形長さで内側端部が子供の肩と引出具の間に介在する。かかる局面によれば、引出具が子供の肩に直接当たらないようにすることができる。また引出具はパッドの他端部に配置され、外側へ露出する。したがって操作者は引出具を容易に把持することができる。
【００１１】
本発明のさらに好ましい局面として、第１連結材同士を連結する第３連結材をさらに備える。かかる局面によれば、１対のパッド間の距離が規制され、各パッドが子供の左右の肩に適正に当接する。また肩ベルトが子供用座席の背もたれ部に形成される肩ベルト通孔を通されている場合、肩ベルトを短くするよう調節することにより肩ベルトがベルト長さ調節機構に引き込まれても、パッドが肩ベルト通孔を通り抜けて背もたれ部の後方へ引き込まれる不都合を防止することができる。他の局面として、第３連結材を設けなくてもよい。
【００１２】
本発明の一局面として、パッドのうち子供の肩に当接する内側部分には、すべりどめ加工が施される。かかる局面によれば、パッドが子供の肩を確りとグリップすることができる。すべりどめ加工は例えば、パッドの内側部分の表面に形成されるゴム層である。
【発明の効果】
【００１３】
本発明によれば、操作者が引出具を引っ張ることにより、肩ベルトの長さを容易に調節することができる。
【図面の簡単な説明】
【００１４】
【図１】本発明を具備するチャイルドシートの斜視図である。
【図２】チャイルドシートのフレームの斜視図である。
【図３】チャイルドシートの背もたれ部およびスライド部材を取り出して示す正面図であり、（Ａ）はスライド部材の下方位置を示し、（Ｂ）はスライド部材の上方位置を示す。
【図４】背もたれ部のフレーム部分の後面およびスライド部材のフレーム部分の後面を示す背面図である。
【図５】ベルトの配置を示す模式図である。
【図６】ベルトの配置を示す模式図であり、肩ベルトを引き出す動作を表す。
【図７】チャイルドシートの１対の肩ベルトおよび１対のパッドを取り出して示す斜視図である。
【図８】チャイルドシートの１対のパッドを取り出して示す正面図である。
【図９】チャイルドシートの１対のパッドを取り出して示す分解図である。
【発明を実施するための形態】
【００１５】
本発明の実施の形態について図面を参照しながら詳細に説明する。なお、図中同一または相当部分には同一符号を付してその説明は繰り返さない。
【００１６】
図１を参照して、本発明の実施の形態に係るチャイルドシート１について説明する。チャイルドシート１の説明において、前後方向はチャイルドシート１に着座する子供の前後方向に対応する。また幅方向はチャイルドシート１に着座する子供の左右方向、あるいはベルトの短手方向に対応している。また内側はチャイルドシート１に着座する子供に向かう側に対応する。また外側はチャイルドシート１に着座する子供とは反対側に対応する。
【００１７】
本実施形態に係るチャイルドシート１は、自動車の座席の上に配置され、乳児や幼児などの子供を安全に乗車させるための子供用座席装置である。チャイルドシート１は、ベース本体１０および座席本体１１を備える。ベース本体１０は乗用自動車の座席シート上に載置され、座席本体１１を下方から支持する。座席本体１１は、ベース本体１０の上側に取り付けられ、ベース本体１０に対して回転自在に支持される。
【００１８】
座席本体１１には、子供が着座する。このため座席本体１１は、子供用座席ともいい、子供の臀部を支持する座面部２と、座面部２の後方から立ち上がり、子供の背部を支持する背もたれ部３とを有する。また、座面部２のフレームには、座面部２用の被覆部材２０が取り外し可能に装着されている。背もたれ部３のフレームには、背もたれ部３用の被覆部材３０が取り外し可能に装着されている。これらの被覆部材２０，３０は、柔らかい布製部材、たとえば、クッション素材、あるいはメッシュ素材、によって形成される。
【００１９】
背もたれ部３には、背もたれ部３に重なって、上下方向に摺動可能なスライド部材４が設けられる。スライド部材４は、子供の頭部を支持するヘッドレスト５を含み、図示しないロック機構により任意の高さ位置に固定することができる。なお、図１に示されるように、スライド部材４は、カバー部材７０によりスライド部材４の前面が覆われていてもよい。背もたれ部３はリクライニング可能である。
【００２０】
チャイルドシート１には、子供の体を拘束するベルトが複数設けられている。背もたれ部３に設けられるベルトは、子供の両肩を拘束する１対の肩ベルト１２を含む。肩ベルト１２は、スライド部材４および背もたれ部３を貫通するように配置されている。肩ベルト１２の一端は、背もたれ部３の後面側で図示しないベルト長さ調節機構と接続する。肩ベルト１２の途中領域および他端は、背もたれ部３の前面側に配置される。
【００２１】
また、座面部２に設けられるベルトは、座席本体１１に着座した子供の両太腿の間を延びる股ベルト１３と、座席本体１１を左右方向に横断するように延びて子供の腰を拘束する腰ベルト１４とを含む。股ベルト１３の一端は座面部２の幅方向中央部分に固定される。腰ベルト１４は左右にそれぞれ配置され、各腰ベルト１４の一端は座面部２の幅方向両側部分にそれぞれ固定される。
【００２２】
これらのベルト１２，１３，１４の他端同士は、股ベルト１３の先端に設けられる連結具１５により、子供の腹部付近で連結される。
【００２３】
背もたれ部３およびスライド部材４と肩ベルト１２との関係について説明する。図２は、本実施の形態に係るチャイルドシート１のフレームの斜視図であり、被覆部材２０，３０を取り除いた状態を表す。図３は、本実施の形態に係るチャイルドシート１の背もたれ部３のフレームおよびスライド部材４を取り出して示す正面図であって、図３（Ａ）は、スライド部材４が一番低い高さで固定されている状態を示す正面図であり、図３（Ｂ）は、スライド部材４が一番高い高さで固定された状態を示す正面図である。
【００２４】
スライド部材４は背もたれ部３のフレームに摺動可能に取り付けられる。スライド部材４は、任意の高さ位置に摺動可能であり、図示しないロック機構によって任意の高さ位置に固定される。
【００２５】
スライド部材４には、１対の肩ベルト１２を貫通させる１対の肩ベルト通孔４３が左右に形成される。各肩ベルト通孔４３は、座席本体１１の幅方向に延びる横長断面であり、肩ベルト１２の断面に対応する。
【００２６】
背もたれ部３の肩ベルト通孔４３に対面する位置には、上下方向に延びる１対の開口３２が設けられている。これにより各肩ベルト１２は、スライド部材４のカバー部材７０、スライド部材４の肩ベルト通孔４３、および背もたれ部３の開口３２を通過する。
【００２７】
図４は背もたれ部３の後面を示す背面図である。肩ベルト通孔４３を通される肩ベルト１２の一端部１２ｔは、肩ベルト通孔４３よりも上方へ延び、ピン３３に掛け渡されることにより、ピン３３から下方へ向きを変えてさらに延びる。次に２本の一端部１２ｔ，１２ｔは、スライド部材４よりも下方で、１本の調節ベルト１６に連結される。このため２本の一端部１２ｔ，１２ｔおよび１本の調節ベルト１６はＹ字状に配置される。ただし図面の理解を容易にするため図４では、Ｙ字状の連結領域を図略し、各ベルトの一部のみを示す。
【００２８】
ピン３３は、開口３２よりも上方で背もたれ部３に取付固定される。またピン３３は背もたれ部３の左側領域および右側領域にそれぞれ配置され、背もたれ部３の幅方向に延びる。
【００２９】
なお図４には、開口３２よりも後方に配置され、開口３２の幅寸法よりも大きな形状の後方部材４４を示す。後方部材４４の左右領域には、肩ベルト通孔４３がそれぞれ貫通して形成される。
【００３０】
図５および図６は、ベルトの配置を座席本体の側方からみた模式図である。調節ベルト１６の途中部分は、座面部２の中を通されて前後方向に延びる、調節ベルト１６の後端は、座面部２から後方へ突出し、２本の一端部１２ｔ，１２ｔに接続される。調節ベルト１６の前端は、座面部２の前側領域の中に設けられるベルトロック機構１７に通される。ベルトロック機構１７は、調節ベルト１６の任意の位置をロックする。またベルトロック機構１７には操作子１８が設けられ、チャイルドシート１の操作者（子供の保護者）が操作子１８を操作する間、調節ベルト１６のロックを解放する。そうすると僅かな力によって調節ベルト１６は後方へ移動することが可能であり、１対の肩ベルト１２は長くされる。あるいは操作者が操作子１８を操作しながら調節ベルト１６の前端１６ｆを引き出すことにより、調節ベルト１６は前方へ移動し、１対の肩ベルト１２は短くされる。操作子１８はボタンあるいはレバーであり、操作者がボタンを押す間、あるいはレバーを倒す間、調節ベルト１６はベルトロック機構１７に対して自由な移動を許容される。
【００３１】
かくして調節ベルト１６およびベルトロック機構１７は、ベルト長さ調節機構を構成する。ベルト長さ調節機構によって１対の肩ベルト１２は長さを調節される。本実施形態では、操作子１８を操作しない間、つまり常態で、ベルトロック機構１７は調節ベルト１６をロックしている。このため調節ベルト１６はベルトロック機構１７に対して相対移動しないよう固定されている。
【００３２】
図１に示すように各肩ベルト１２にはパッド２１がそれぞれ取り付けられる。
【００３３】
図７〜図９は、１対のパッド２１，２１を取り出して示す図である。パッド２１は例えば筒状に縫製された布材である。あるいはパッド２１は図９に示すように２つ折りされた布材であってもよい。パッド２１は、背もたれ部３（図５）に近い上側の一端部２１ｕと、背もたれ部から遠い下側の他端部（外側端部２１ｔ、内側端部２２ｔ）と、子供に当接する内側部分に設けられるクッション材２２と、子供から遠い外側部分２１ｖを有する。
【００３４】
クッション材２２と外側部分２１ｖは布筒（および筒孔）を構成する。肩ベルト１２はパッド２１の筒孔を通過して延びる。このためパッド２１は肩ベルト１２に沿って相対的に摺動可能である。パッド２１の内側部分（子供の肩に当接する面状部分）に縫着されるクッション材２２は、肩ベルト１２と子供の肩の当たり具合を柔らかくする。なお本明細書において使用される縫着とは、結合あるいは連結の一態様であると理解されたい。
【００３５】
パッド２１は第１連結材２３を介してスライド部材４に連結される。第１連結材２３は肩ベルト１２に沿って上下方向に延び、第１連結材２３の下側の一端２３ｄがパッド２１の上側の一端部に縫着される。第１連結材２３は、肩ベルト１２よりも幅狭のベルトであり、前述した肩ベルト通孔４３に通され、図４に示すようにスライド部材４の後面まで延びる。第１連結材２３の上側の他端２３ｕは、環状に縫製されており、ピン４５を通される。ピン４５はスライド部材４の幅方向に延び、後方部材４４に附設される。
【００３６】
なお第１連結材２３は、座席本体１１のいずれかの部分に連結されて、パッド２１が肩ベルト１２に沿って脱落することを防止するものであればよく、スライド部材４に代えて、背もたれ部３に直接連結されていてもよい。
【００３７】
１対の肩ベルト１２，１２には引出具２４がそれぞれ設けられる。引出具２４は操作者の指が通されるのに好適なリング部２４ｒと、２本の軸部２４ｓ，２４ｔを有する。引出具２４は、パッド２１からみて上側の第１連結材２３とは反対側（下側）に配置される。
リング部２４ｒは大人の指１本が入る程度の孔を構成する。軸部２４ｓ，２４ｔは隣り合って平行に延び、これら軸部間に肩ベルト１２が通される。軸部２４ｔは肩ベルト１２よりも内側（子供に近い側）に位置する。軸部２４ｓおよびリング部２４ｒは肩ベルト１２よりも外側（子供から遠い側）に位置する。また軸部２４ｔは上側に位置し、リング部２４ｒは下側に位置し、軸部２４ｓは軸部２４ｔとリング部２４ｒの間に位置する。かくして引出具２４は、肩ベルト１２に摺動可能に取り付けられる。なお軸部２４ｔの長さは、肩ベルト１２の幅よりもやや大きく、軸部２４ｓとの間で、肩ベルト１２の断面形状に適合する長孔を区画する。
【００３８】
引出具２４は第２連結材２５を介してパッド２１に連結される。第２連結材２５は肩ベルト１２よりも幅狭のベルトであり、パッド２１の筒孔内を延びる。第２連結材２５の上側の一端２５ｕは、パッド２１の上側領域に縫着される。第２連結材２５の下側の他端は環状に縫製され、引出具２４の軸部２４ｓが通される。なお第２連結材２５は、肩ベルト１２の外側面に重なっている。
【００３９】
第２連結材２５は例えばゴム糸を編んでなる帯状のゴムひもであり、弾性的に伸縮可能である。図８に仮想線で示すように第２連結材２５は弾性的に伸縮可能である。したがって第２連結材２５の他端領域はパッド２１の下側の他端部から弾性的に引き出されることができる。
【００４０】
ここでパッド２１の下側の他端部につき附言すると、図７に示すようにパッド２１の他端部は、子供の肩に当接する内側端部２２ｔと、子供から遠い外側端部２１ｔを含む。内側端部２２ｔは外側端部２１ｔよりも突出するよう舌状に形成される。そして第２連結材２５が伸びていない原形長さで、舌状の内側端部２２ｔが、子供の肩と引出具２４の間に介在する。これにより硬質の引出具２４は子供の肩に当接しない。なお内側端部２２ｔはクッション材２２の下端部に相当する。
【００４１】
第２連結材２５は、引出具２４が脱落しないよう規制する。これにより引出具２４はパッド２１の他端部に隣接して配置される。なお図示しない変形例として、第２連結材２５の一端２５ｕは、パッド２１に代えて、第１連結材２３の一端２３ｄと結合していてもよい。あるいは一端２５ｕは、背もたれ部３またはスライド部材４と結合していてもよい。
【００４２】
本実施形態は、左右１対の第１連結材２３，２３同士を連結する第３連結材２６をさらに備える。第３連結材２６は、肩ベルト１２よりも幅狭のベルトであり、座席本体１１の幅方向に延びる。また第３連結材２６はスライド部材４の全面に沿って配置される。第３連結材２６の左右両端は、第１連結材２３の途中部分に縫着される。第３連結材２６は、１対のパッド２１，２１が離れすぎないよう、パッド２１，２１の間隔を規制する。また第３連結材２６は、パッド２１が肩ベルト通孔４３を通り抜けて背もたれ部３の後方へ移動することを防止する。
【００４３】
図５に示すようにパッド２１のうち、子供の肩に当接する内側部分の表面には、すべりどめ層２１ｓが設けられる。すべりどめ層２１ｓは摩擦係数の高い材質、例えばゴム、であり、パッド２１の内側部分に施される滑り止め加工により形成される。これによりパッド２１は子供の肩を確りとグリップする。
【００４４】
次に本実施形態の作用を説明する。
【００４５】
図５に示す通常状態で、肩ベルト１２は適正な長さとされる。適正な長さの肩ベルト１２は、座席本体１１に着座する子供（図略）の肩の前側に沿って延びる。１対の肩ベルト１２の下端は連結具１５を介して股ベルト１３および１対の腰ベルト１４と接続し（図１参照）、子供を拘束する。第２連結材２５は原形長さにされ、引出具２４を吊り下げている。引出具２４は、軸部２４ｔを上側にし、リング部２４ｒを下側にして、内側端部２２ｔの外側面に接触している。
【００４６】
肩ベルト１２の長さが不足する場合、操作者は一方の手で操作子１８を操作しつつ、他方の手で１対の引出具２４を図５に矢印で示すように引き起こし、図６中の前方Ｆへ引っ張るとよい。これによりベルトロック機構１７は調節ベルト１６の自由な移動を許容し、調節ベルト１６は図６中の細矢印で示す方向に後方へスライド移動し、肩ベルト１２は肩ベルト通孔４３から背もたれ部３よりも前方へ引き出される。かくして肩ベルト１２は長くされる。なお操作者が引出具２４を引っ張る際、第２連結材２５は弾性的に伸長し、引出具２４は内側端部２２ｔから離れて前方移動する。操作者が引出具２４から手を放すと、第２連結材２５は原形長さに復帰し、引出具２４は内側端部２２ｔの外側面に戻される。
【００４７】
本実施形態によれば、肩ベルト１２がパッド２１で覆われているために、操作者が肩ベルト１２に直接アクセスすることは困難であるが、引出具２４をつかんで肩ベルト１２を前方へ容易に引き出すことができる。したがって円滑な肩ベルト長さ調節が実現し、操作者の労務が軽減される。
【００４８】
肩ベルト１２の長さが余る場合、操作者は一方の手で操作子１８を操作しつつ、他方の手で調節ベルト１６の前端１６ｆをつかんで前方へ引っ張るとよい。これによりベルトロック機構１７は調節ベルト１６の自由な移動を許容し、調節ベルト１６は図６中の細矢印で示す方向とは反対に前方へスライド移動し、肩ベルト１２が肩ベルト通孔４３から背もたれ部３よりも後方へ引き込まれる。かくして肩ベルト１２は短くされる。
【００４９】
本実施形態の肩ベルト構造は、子供が着座する座席本体１１に設けられる調節ベルト１６およびベルトロック機構１７と、調節ベルト１６およびベルトロック機構１７により長さ調節される１対の肩ベルト１２，１２と、肩ベルト１２に摺動可能に設けられる部材であって、座席本体１１に着座する子供の肩に当接するパッド２１と、一端が座席本体１１と結合し、他端がパッド２１と結合する第１連結材２３と、肩ベルト１２に摺動可能に係止して肩ベルト１２を引き出す引出具２４と、一端がパッド２１と結合し、他端が引出具２４と結合する第２連結材とを備える。
【００５０】
本実施形態の第２連結材２５は、パッド２１に通されて、一端がパッドの上側の一端部と結合し、他端がパッド２１の下側に引き出されて引出具２４の軸部２４ｓに連結される。
【００５１】
パッド２１の下側の他端部は、子供の肩に当接する内側端部２２ｔが外側端部２１ｔよりも突出するよう舌状に形成される。第２連結材２５の原形長さで、舌状の内側端部２２ｔが引出具２４よりも内側（子供に近い側）に位置する。これにより内側端部２２ｔは、子供の肩と引出具２４の間に介在し、硬質の引出具２４が子供の肩に当接することを回避できる。
【００５２】
本実施形態の肩ベルト構造は、１対の第１連結材２３，２３同士を連結する第３連結材２６をさらに備える。これにより１対のパッド２１、２１間の距離が規制され、各パッド２１が子供の左右の肩に適正に当接する。１対の第１連結材２３，２３および第３連結材２６はＨ型に配列される。図５に示すように肩ベルト１２は肩ベルト通孔４３を通されている。肩ベルト４３を短くするよう調節する際、肩ベルト１２は肩ベルト通孔４３を経由して背もたれ部３の後方へ引き込まれるが、１対のパッド２１は第３連結部材に連結されることから肩ベルト通孔４３を通り抜けることができない。したがってパッド２１は肩ベルト通孔４３を経由して背もたれ部３の後方へ引き込まれない。
【００５３】
パッド２１のうち、子供の肩に当接する内側部分の表面には、すべりどめ加工が施され、すべりどめ層２１ｓが形成される。これにより子供の肩はパッド２１にグリップされる。
【００５４】
以上、図面を参照して本発明の実施の形態を説明したが、本発明は、図示した実施の形態のものに限定されない。図示した実施の形態に対して、本発明と同一の範囲内において、あるいは均等の範囲内において、種々の修正や変形を加えることが可能である。例えば上述した１の実施形態から一部の構成を抜き出し、上述した他の実施形態から他の一部の構成を抜き出し、これら抜き出された構成を組み合わせてもよい。
【産業上の利用可能性】
【００５５】
本発明は育児器具において有利に利用される。
【符号の説明】
【００５６】
１  チャイルドシート（子供用座席装置）、      ２  座面部、      
３  背もたれ部、      ４  スライド部材、      １０  ベース本体、      
１１  座席本体、      １２  肩ベルト、      １２ｔ  肩ベルトの一端部、      
１６  調節ベルト、      １６ｆ  調節ベルトの前端、      
１７  ベルトロック機構、      １８  操作子、      ２０，３０  被覆部材、    
２１  パッド、      ２１ｓ  すべりどめ層、      
２２  クッション材（内側部分）、      ２２ｔ  内側端部、      
２３  第１連結材、      ２４  引出具、      ２５  第２連結材、      
２６  第３連結材、      ４３  肩ベルト通孔、      ４４  後方部材。
【図１】
2020040490.tif 000003
【図２】
2020040490.tif 000004
【図３】
2020040490.tif 000005
【図４】
2020040490.tif 000006
【図５】
2020040490.tif 000007
【図６】
2020040490.tif 000008
【図７】
2020040490.tif 000009
【図８】
2020040490.tif 000010
【図９】
2020040490.tif 000011